(57)【要約】【課題】第１の無線通信機が第２の無線通信機を呼び出したときに、通信不可能状態であった第２の無線通信機が、後で、通信不可能状態から通信可能状態に復帰したときに、そのことを、第１の無線通信機側で速やかに認識すること。【解決手段】本発明の通信管理方法では、第１の無線通信機と第２の無線通信機とが中継手段を介して通信し得るように構成され、記憶手段を備えた無線通信システムにおいて、第１の無線通信機から第２の無線通信機に対する呼び出し時に、第２の無線通信機が通信不可能状態であった場合には呼び出し情報を記憶手段に記憶させ、第２の無線通信機が、通信不可能状態から通信可能状態に復帰して中継手段にアクセスしたときには、第１の無線通信機に対して、第２の無線通信機が通信可能状態に復帰したことを通知する。【選択図】      図１
2007300344.tif 000002
【特許請求の範囲】
【請求項１】
中継局を介した第１の無線通信機と第２の無線通信機との間の通信状態を管理する通信管理方法であって、
第１の無線通信機から第２の無線通信機に対する呼び出し時に、第２の無線通信機が通信不可能状態であって、その後、第２の無線通信機が通信不可能状態から通信可能状態に復帰したときには、第２の無線通信機が通信可能状態に復帰したことを第１の無線通信機に通知することを特徴とする通信管理方法。
【請求項２】
第１の無線通信機と第２の無線通信機とが中継手段を介して通信し得るように構成され、前記中継手段は、記憶手段と通信して呼び出し情報を読み書き可能に構成された無線通信システムにおける通信管理方法であって、
前記第１の無線通信機から前記第２の無線通信機に対する呼び出し時に、前記第２の無線通信機が通信不可能状態であった場合には、前記第１の無線通信機から前記第２の無線通信機に対する呼び出し情報を前記記憶手段に記憶させ、
前記第２の無線通信機が、通信不可能状態から通信可能状態に復帰して前記中継手段にアクセスしたときには、前記第１の無線通信機に対して、前記第２の無線通信機が通信可能状態に復帰したことを通知させることを特徴とする通信管理方法。
【請求項３】
第１の無線通信機と第２の無線通信機とが中継手段を介して通信し得るように構成されるとともに、前記中継手段が読み書き可能な記憶手段を備えた無線通信システムにおいて、第１の無線通信機から第２の無線通信機に対する呼び出し時に、第２の無線通信機が通信不可能状態であった場合には、第１の無線通信機から第２の無線通信機に対する呼び出し情報を前記記憶手段に記憶させる通信不可能記録手段と、
通信不可能状態から通信可能状態に復帰した前記第２の無線通信機からのアクセスがあった場合には、前記記憶手段に記憶された呼び出し情報を参照して、参照した前記呼び出し情報に基づいて、前記第２の無線通信機が通信可能状態に復帰したことを前記第１の無線通信機に通知する通知手段と
を備えたことを特徴とする無線通信システム。
【発明の詳細な説明】
【技術分野】
【０００１】
本発明は、第１の無線通信機と第２の無線通信機とが中継手段を介して通信し得るように構成されるとともに、前記中継手段が読み書き可能なサーバなどの記憶手段を備え、前記第２の無線通信機が通信不可能状態から通信可能状態に復帰したときには、前記第２の無線通信機は、前記中継手段に対してアクセスするように構成された無線通信システムに関するものである。
【背景技術】
【０００２】
上述したような構成の無線通信システムにおいては、第１の無線通信機が第２の無線通信機を呼び出したとき、第２の無線通信機が通信不可能状態（中継手段のサービス範囲外や電源オフの状態など）の場合には、通信が確立しないので、第１の無線通信機は、後ほど、再度呼び出す必要がある。再度の呼び出しても通信が確立しない場合には、さらに、後ほど呼び出し、第２の無線通信機が通信可能な状態になるまで、呼び出しを試す必要がある。また、例えば、１０分おきに第２の無線通信機を呼び出していた場合、第２の無線通信機が通信可能状態になってから、そのことが分かるまで、最大１０分を要するという問題や、その１０分の間に、第２の無線通信機が一旦通信可能状態になったにもかかわらず、再度通信不可能状態になってしまった場合には、第２の無線通信機が一旦通信可能状態になったことに気づかないという問題がある。
【０００３】
また、統制局と移動局又は移動局同士が、中継局を介した中継回線の単一無線回線で接続され、被呼局からの応答がないと個別通信接続しない地域防災無線システムにおいて、通信接続中に被呼局からの応答が返ってくるまでの間、回線接続動作中である旨の、あるいは選択中の接続ルートを表明する旨の音声メッセージ（報知音）を運用者に聴かせることによって、通信接続時までの無音待時間をなくすようにした技術が特許文献１に記載されている。
これは、従来の地域防災無線システムにおいては、移動局は個別通信接続をしている間は、無音状態となっているので、被呼局が応答しないと、運用者は通信接続中なのか通信接続出来ず終話しているのかわからなくなってしまうという欠点を解決することを目的としたものである。
【０００４】
【特許文献１】特開２００２−１３５８４９
【発明の開示】
【発明が解決しようとする課題】
【０００５】
本発明では、第１の無線通信機が第２の無線通信機を呼び出したときに、第２の無線通信機が通信不可能状態であったが、その後、前記第２の無線通信機が通信不可能状態から通信可能状態に復帰したときには、そのことを、第１の無線通信機側で速やかに認識できる技術を提供して、遅滞なく通信を確立できるようにすることを目的としている。
【課題を解決するための手段】
【０００６】
本発明の請求項１にかかる通信管理方法は、
中継局を介した第１の無線通信機と第２の無線通信機との間の通信状態を管理する通信管理方法であって、
第１の無線通信機から第２の無線通信機に対する呼び出し時に、第２の無線通信機が通信不可能状態であって、その後、第２の無線通信機が通信不可能状態から通信可能状態に復帰したときには、第２の無線通信機が通信可能状態に復帰したことを第１の無線通信機に通知することを特徴としている。
請求項２の通信管理方法は、
第１の無線通信機と第２の無線通信機とが中継手段を介して通信し得るように構成され、前記中継手段は、記憶手段と通信して呼び出し情報を読み書き可能に構成された無線通信システムにおける通信管理方法であって、
前記第１の無線通信機から前記第２の無線通信機に対する呼び出し時に、前記第２の無線通信機が通信不可能状態であった場合には、前記第１の無線通信機から前記第２の無線通信機に対する呼び出し情報を前記記憶手段に記憶させ、
前記第２の無線通信機が、通信不可能状態から通信可能状態に復帰して前記中継手段にアクセスしたときには、前記第１の無線通信機に対して、前記第２の無線通信機が通信可能状態に復帰したことを通知させることを特徴としている。
本発明の請求項３にかかる無線通信システムは、
第１の無線通信機と第２の無線通信機とが中継手段を介して通信し得るように構成されるとともに、前記中継手段が読み書き可能な記憶手段を備えた無線通信システムにおいて、第１の無線通信機から第２の無線通信機に対する呼び出し時に、第２の無線通信機が通信不可能状態であった場合には、第１の無線通信機から第２の無線通信機に対する呼び出し情報を前記記憶手段に記憶させる通信不可能記録手段と、
通信不可能状態から通信可能状態に復帰した前記第２の無線通信機からのアクセスがあった場合には、前記記憶手段に記憶された呼び出し情報を参照して、参照した前記呼び出し情報に基づいて、前記第２の無線通信機が通信可能状態に復帰したことを前記第１の無線通信機に通知する通知手段と
を備えたことを特徴としている。
【発明の効果】
【０００７】
本願請求項１の発明によれば、
第１の無線通信機から第２の無線通信機に対する呼び出し時に、第２の無線通信機が通信不可能状態であって、その後、第２の無線通信機が通信不可能状態から通信可能状態に復帰したときには、第２の無線通信機が通信可能状態に復帰したことを第１の無線通信機に通知するので、第１の無線通信機は、第２の無線通信機が通信可能状態になるまで繰り返し呼び出しを試みなくても、第２の無線通信機が通信可能状態になった時点で速やかに、そのことを知ることができる。
請求項２の発明では、
前記第１の無線通信機から前記第２の無線通信機に対する呼び出し時に、前記第２の無線通信機が通信不可能状態であった場合には、前記第１の無線通信機から前記第２の無線通信機に対する呼び出し情報を前記記憶手段に記憶させているので、
前記第２の無線通信機が、通信不可能状態から通信可能状態に復帰して前記中継手段にアクセスしたときには、前記記憶させていた呼び出し情報に基づいて第１の無線通信機からの呼び出しが不在着信となっていたことを知ることができ、第１の無線通信機に対して、前記第２の無線通信機が通信可能状態に復帰したことを通知することができる。
したがって、第１の無線通信機は、第２の無線通信機が通信可能状態になるまで繰り返し呼び出しを試みなくても、第２の無線通信機が通信可能状態になった時点で速やかに、そのことを知ることができる。
本願請求項３の無線通信システムでは、
第１の無線通信機から第２の無線通信機に対する呼び出し時に、第２の無線通信機が通信不可能状態であった場合には、第１の無線通信機から第２の無線通信機に対する呼び出し情報を前記記憶手段に記憶させておくので、
通信不可能状態から通信可能状態に復帰した前記第２の無線通信機からのアクセスがあった場合には、前記記憶手段に記憶された呼び出し情報を参照して、参照した前記呼び出し情報に基づいて、第１の無線通信機からの呼び出しが不在着信となっていたことを知ることができ、前記第２の無線通信機が通信可能状態に復帰したことを前記第１の無線通信機に通知することができる。
したがって、第１の無線通信機は、第２の無線通信機が通信可能状態になるまで繰り返し呼び出しを試みなくても、第２の無線通信機が通信可能状態になった時点で速やかに、そのことを知ることができる。
【発明を実施するための最良の形態】
【０００８】
以下に、本発明にかかる通信管理方法を採用した無線通信システムを、その実施の形態を示した図面に基づいて詳細に説明する。
本発明にかかる無線通信システムの概略構成を示した図１において、
Ａ，Ｂは中継手段としてのレピータ、Ｓは記憶手段を備えたサーバであり、各レピータＡ，ＢとサーバＳとはネットワークＮを介してそれぞれ通信可能な状態に設定されている。そして、１は第１の無線通信機、２は第２の無線通信機であり、第１の無線通信機１はレピータＡと通信可能な状態であり、第２の無線通信機２はレピータＢと通信可能な状態である。
なお、本発明にかかる無線通信システムを構成する各レピータＡ，Ｂ、サーバＳ、第１の無線通信機１、および第２の無線通信機２は、ネットワークＮ上においては、ＩＰアドレスなどの個別の識別情報で識別されている。
前記サーバＳは、第１の無線通信機１はレピータＡと通信可能な範囲内（レピータＡのサービスエリア）におり、第２の無線通信機２はレピータＢと通信可能な範囲内（レピータＢのサービスエリア）にいるという位置情報を記憶し、各レピータと、それぞれのレピータと通信可能な無線通信機とを、それぞれ関連付けして記憶している。
【０００９】
上記構成の無線通信システムにおいて、通常の通話シーケンスは以下の通りである。
１）第１の無線通信機１がレピータＡに対して、第２の無線通信機２との通話開始要求情報を周波数ｆ１で送信する。通話開始要求情報には、第１の無線通信機１の識別情報と、第２の無線通信機２の識別情報が含まれている。
２）レピータＡは、第２の無線通信機２がどのレピータのサービスエリアにいるか、サーバＳに問い合わせる。
３）サーバＳは、第２の無線通信機２はレピータＢのサービスエリアにいるという位置情報を得て、レピータＡに返す。
４）レピータＡはレピータＢへ、第１の無線通信機１から第２の無線通信機２へ対する通信開始要求情報をネットワークＮを介して送る。
５）レピータＢは、第２の無線通信機２に第１の無線通信機１からの通話開始要求情報を周波数ｆ４で送信する。
６）第２の無線通信機２はレピータＢに通話可能応答情報を周波数ｆ３で返す。
７）レピータＢはレピータＡに第２の無線通信機２から第１の無線通信機１への通話可能応答情報を返す。
８）レピータＡは、第１の無線通信機１に第２の無線通信機２からの通話可能応答情報を周波数ｆ１で返す。
９）第１の無線通信機１は、レピータＡ、レピータＢを介して、第２の無線通信機２との通話を開始する。
１０）シーケンス終了。
【００１０】
次に、第２の無線通信機２が通信不可能状態である場合のシーケンスを説明する。
１）第１の無線通信機１がレピータＡに対して、第２の無線通信機２との通話開始要求情報を周波数ｆ１で送信する。
２）レピータＡは、第２の無線通信機２がどのレピータのサービスエリアにいるか、サーバＳに問い合わせる。
３）サーバＳは、第２の無線通信機２はレピータＢのサービスエリアにいるという位置情報を得て、レピータＡに返す。
４）レピータＡはレピータＢへ、第１の無線通信機１から第２の無線通信機２へ対する通信開始要求情報をネットワークＮを介して送る。
５）レピータＢは、第２の無線通信機２に第１の無線通信機１からの通話開始要求情報を周波数ｆ４で送信する。
６）レピータＢは一定時間待機し、第２の無線通信機２からの応答が無ければ、レピータＢはレピータＡに、ネットワークＮを介して、第２の無線通信機２が通信不可能状態であることを示す通信不可能応答情報を返す。
７）レピータＡは、サーバＳに、第１の無線通信機１から第２の無線通信機２への呼び出し情報として、第１の無線通信機１と第２の無線通信機２の識別情報を含んだ不在着信情報を登録する。
なお、レピータＡが、サーバＳの記憶手段に前記呼び出し情報としての不在着信情報を登録して記録する機能が、特許請求の範囲に記載された通信不可能記録手段に対応している。
８）レピータＡは、第１の無線通信機１に第２の無線通信機２からの通話不可能応答情報を周波数ｆ１で返す。
９）シーケンス終了。
以上のシーケンスによって、第１の無線通信機１側では、第２の無線通信機２が通信不可能状態であることを認識する。
【００１１】
次に、第２の無線通信機２が通信不可能状態から通信可能状態に復帰した場合のシーケンスを説明する。
１）第２の無線通信機２の電源がオンされて、通信可能状態に復帰すると、第２の無線通信機２は最寄りのレピータ（例えばレピータＢ）に不在着信の有無を周波数ｆ３で問い合わせる。
２）レピータＢは、ネットワークＮを介してサーバＳに、第２の無線通信機２に対する不在着信の有無を問い合わせる。
３）サーバＳは、第２の無線通信機２への不在着信情報を読み出して、レピータＢに返す。
４）レピータＢは、第２の無線通信機２に周波数ｆ４で不在着信情報を送る。
５）不在着信情報を受け取った第２の無線通信機２は、レピータＢに周波数ｆ３で不在着信到達報告情報を送る。
６）レピータＢは、サーバＳに不在着信到達報告情報を送る。
７）サーバＳは、不在着信到達報告情報を受け取ると、サーバＳに登録されている不在着信情報から、発信側の無線通信機が第１の無線通信機１であることを認識する。そして、サーバＳは、第１の無線通信機１がレピータＡのサービスエリアにいることを把握しているので、レピータＡに、第２の無線通信機２が通信可能状態になったことを示す不在着信取得通知情報を送る。
８）レピータＡは、第１の無線通信機１に前記不在着信取得通知情報を周波数ｆ２で送信する。
なお、サーバＳが、レピータＡを介して、第１の無線通信機１に前記不在着信取得通知情報を送信する機能が、特許請求の範囲に記載された通知手段に対応している。
９）シーケンス終了
以上のシーケンスによって、第１の無線通信機１側では、第２の無線通信機２が通信不可能状態から通信可能状態に復帰したことを認識する。
したがって、直ちに、第２の無線通信機２を呼び出せば通信を確立できる可能性が高い。
【００１２】
なお、本無線通信システムにおいて、不在着信情報は、少なくとも、発信側の無線通信機（第１の無線通信機１）の識別情報と着信側の無線通信機（第２の無線通信機２）の識別情報とを含み、さらには時刻情報を含んでもよい。サーバＳは、このような不在着信情報を、例えば最大５件分蓄積できるように構成されている。
また、不在着信取得通知情報は、少なくとも着信側の無線通信機（第２の無線通信機２）の識別情報を含んでいる。
【００１３】
以上のように、本発明にかかる無線通信システムによれば、
通信しようとして呼び出した相手側の無線通信機が通信不可能状態から通信可能状態に復帰したときには、そのことをその時点で速やかに知ることができるので、従来のように、相手が通信可能状態になるまで繰り返し何回も呼び出しする必要がない。
また、相手が通信可能状態になった時点で速やかにそのことを知ることができるので、迅速な通信が可能となる。
【００１４】
なお、本願発明の無線通信システムは、３つ以上のレピータを備えるものであってもよく、その場合、各リピータが無線通信機と送受信する周波数は各々別のものに設定することができる。
無線通信機には、各レピータに設定された周波数が登録されている。例えば、無線通信機は、現在所属しているレピータに不具合が生じて使用不可となった場合であっても、前記登録されている周波数をサーチして、別の使用可能なレピータを探すことができる。
また、第１の無線通信機１が、現在所属しているレピータＡのサービスエリアから別のレピータのサービスエリアに移動した場合、第１の無線通信機１は、別のレピータに対して自己の識別情報を送信する。別のレピータは、第１の無線通信機１が自己のサービスエリアに所属するようになったと認識し、その情報をサーバＳに送信する。
こうすることで、第１の無線通信機１が、現在所属しているレピータＡのサービスエリアから別のレピータのサービスエリアに移動した場合であっても、第２の無線通信機２が通信可能状態になったことを知ることができるのである。
【実施例１】
【００１５】
本発明の実施例１では、図２に示したように、複数のＩＰレピータＡ１，Ａ２，Ａ３，Ａ４とＩＰサーバＳ１とＤＨＣＰサーバＳ２とが、ＬＡＮ（Local Area Network）を介して互いに通信可能に接続されている。なお、必要に応じてハブＨが配置されている。
そして、複数の携帯無線通信機１１，１２が前記ＩＰレピータとＬＡＮを介して互いに通信可能に構成されている。
前記ＩＰサーバＳ１とＤＨＣＰサーバＳ２とには予め固定ＩＰアドレスが設定されており、各ＩＰレピータＡ１，Ａ２，Ａ３，Ａ４にはＤＨＣＰサーバＳ２によって自動的にＩＰアドレスが割り振られる。
各ＩＰレピータＡ１，Ａ２，Ａ３，Ａ４は、各無線通信機との間で無線通信可能な送受信機能を備えるとともに、ＬＡＮを介したネットワーク通信機能を備えている。
各ＩＰレピータＡ１，Ａ２，Ａ３，Ａ４は、それぞれ識別情報が設定されており、前記ＬＡＮに接続した時点で、前記ＤＨＣＰサーバＳ２によって重複しないＩＰアドレスが割り当てられる。
各無線通信機は通信可能状態になると最寄りのＩＰレピータにアクセスするので、そのような無線通信機からのアクセスを受けたＩＰレピータは、前記無線通信機の識別情報を、当該ＩＰレピータの識別情報と関連付けして位置登録情報として記憶するとともに、その位置登録情報を前記ＩＰサーバＳ１に送る。
前記ＩＰサーバＳ１は、このような位置登録情報を、各ＩＰレピータごとに登録して記憶している。このようにして、前記ＩＰサーバＳ１は、各無線通信機がどのＩＰレピータのサービスエリアに位置しているかを、常時把握している。
【００１６】
また、前記ＩＰサーバＳ１は、不在着信情報を記憶するように構成され、通信不可能状態から通信可能状態に復帰した無線通信機から、不在着信到達報告情報を受け取ると、前記不在着信情報から、発信側の無線通信機を特定するとともに、その無線通信機がどのＩＰレピータのサービスエリアにいるかを特定して、そのＩＰレピータを介して相手側の無線通信機が通信可能状態になったことを示す不在着信取得通知情報を送るのである。
したがって、発信側は、着信側から不在着信取得通知情報を受け取ってすぐに着信側を呼び出すと、通信を確立できる可能性が高い。
【００１７】
なお、ネットワークとしては、個別の事業所内などのＬＡＮに限らず、各事業所などを専用回線などで接続したＷＡＮや、インターネットを利用することも可能である。
また、記憶手段は、中継手段に内蔵してもよい。
【産業上の利用可能性】
【００１８】
また、無線通信機としては、音声通信だけでなく、データ通信機能を備えた携帯通信端末でもよい。また、携帯電話の通信システムに利用して、着信側が通信不可能状態から通信可能状態になったことを、発信側に通知するように構成することも可能である。
【図面の簡単な説明】
【００１９】
【図１】本発明にかかる無線通信システムの実施の形態の概略構成図である。
【図２】実施例１の無線通信システムの概略構成図である。
【符号の説明】
【００２０】
Ａ，Ｂ  中継手段、レピータ
Ｓ  記憶手段、サーバ
Ｎ  ネットワーク
１  第１の無線通信機
２  第２の無線通信機
Ａ１，Ａ２，Ａ３，Ａ４  中継手段、ＩＰレピータ
Ｓ１  記憶手段、ＩＰサーバ
Ｓ２  ＤＨＣＰサーバ
ＬＡＮ  ネットワーク
１１，１２  第１、第２の無線通信、携帯無線通信機
【図１】
2007300344.tif 000003
【図２】
2007300344.tif 000004